(57)【要約】【課題】トイレの使用状況を判り易く知らせることができるトイレ使用表示装置を提供する。【解決手段】トイレ使用表示装置１に、便器２１を有したトイレ室２０における便器２１に対して所定の位置に位置した人体を検知し、便器２１近傍に設置された人体検知スイッチ３２と、人体検知スイッチ３２による人体の検知に応じて、マトリックス状に配置された複数のＬＥＤ７の点灯箇所によって所定の文字を表示し、トイレ室２０外に設置された表示器１０とを主に備える。【選択図】図１
2011125593.tif 000002
【特許請求の範囲】
【請求項１】
少なくとも一つの便器を有したトイレ室における便器に対して所定の位置に位置した人体を検知し、便器近傍に設置された人体検知スイッチと、
該人体検知スイッチによる人体の検知に応じて、マトリックス状に配置された複数のＬＥＤの点灯箇所によって所定の文字を表示し、トイレ室外に設置された表示器と
を具備することを特徴とするトイレ使用表示装置。
【請求項２】
前記表示器は、
前記人体検知スイッチによって人体を検知していない便器の数を便器の種類に応じて表示することを特徴とする請求項１に記載のトイレ使用表示装置。
【請求項３】
前記人体検知スイッチは、
人体からの荷重或いは熱を検知するものであることを特徴とする請求項１又は請求項２に記載のトイレ使用表示装置。
【発明の詳細な説明】
【技術分野】
【０００１】
本発明は、トイレ室外に設置された表示器により、トイレ室における便器の使用状況を外部に知らせることができるトイレ使用表示装置に関するものである。
【背景技術】
【０００２】
従来から、トイレ室の使用状況を外部に知らせるものとして、ドアの施錠と共に移動する表示板によって、トイレ室の使用を知らせるものが知られている。しかしながら、このものは、表示サイズが小さい他に、表示板がドアのノブ付近にあるので、離れていると表示が判り難い問題があった。そこで、トイレ室外に設置されたランプ（表示器）とトイレ室内の使用者を検知する検知センサとを備え、検知センサが使用者を検知するとランプが点灯し、トイレ室の使用を知らせるものが提案されている（例えば、特許文献１）。
【０００３】
また、複数の便器を有したトイレ室で、小便器や大便器が夫々全て使用中になるとランプが点灯するものも提案されている（例えば、特許文献２）。なお、従来のトイレ室の使用を知らせる表示器は、透光性を有したパネルの後側にランプを配置したものであり、表示器のパネルに「使用中」や「×」などの文字を描いたものも提案されている。
【発明の概要】
【発明が解決しようとする課題】
【０００４】
しかしながら、従来のものは、表示器に照明等の光が外部から当たると、ランプの点灯が見辛くなり、トイレ室における便器の使用状況が判り難くなる問題がある。また、パネルに描かれた文字によって知らせるようにしているので、知らせる内容を容易に変更することができず、汎用性の低いものであった。
【０００５】
そこで、本発明は上記実情に鑑み、トイレの使用状況を判り易く知らせることができるトイレ使用表示装置を提供することを課題とするものである。
【課題を解決するための手段】
【０００６】
上記の課題を解決するため、本発明のトイレ使用表示装置は、
「少なくとも一つの便器を有したトイレ室における便器に対して所定の位置に位置した人体を検知し、便器近傍に設置された人体検知スイッチと、
該人体検知スイッチによる人体の検知に応じて、マトリックス状に配置された複数のＬＥＤの点灯箇所によって所定の文字を表示し、トイレ室外に設置された表示器と
を具備する」
ことを特徴として主に構成されている。
【０００７】
ここで、トイレ室は、少なくとも一つの便器を有しているものであれば良く、例えば、便器を一つだけ有するものであったり、複数の便器を有するものであっても良い。また、複数の便器を有する場合、便器の種類が異なるものでも構わない。便器の種類としては、小便器、大便器、或いは和式便器、洋式便器等がある。
【０００８】
また、便器に対する所定の位置とは、使用者が用を足す位置である。すなわち、小便器での立ち位置、和式便器での立ち位置、和式便器でのしゃがみ位置、洋式便器での立ち位置、及び、洋式便器での腰掛位置の五通りが該当する。
【０００９】
また、人体検知スイッチは、前述した五通りの位置において、人体を検知するものであり、人体検知スイッチを設置する便器近傍としては、例えば、便器周辺の床、便器周辺の壁、便器本体、便座等がある。また、検知の種類としては、人体を検知するものであれば良く、例えば、人体からの荷重や熱を検知して作動するものや、人体の動作に反応して作動するものが挙げられる。
【００１０】
また、表示器に表示される所定の文字は、便器が使用できるかどうかを伝えるものであれば良く、例えば、「使用中」、「空室」、「ｏｃｃｕｐｉｅｄ」、「ｖａｃａｎｔ」、「○」、「×」等が挙げられる。
【００１１】
また、ＬＥＤは、一定間隔で縦横の行列を形成するマトリックス状に配置されており、その点灯箇所によって、文字が表示可能なドット数で構成されている。
【００１２】
更に、表示器はトイレ室外の見易い位置に設置すれば良く、例えば、トイレ室の出入り口の上部であって、壁面に取り付けるものであったり、天井から吊るすものが挙げられる。また、表示器は、トイレ室の近傍に限らず、離れた位置に設置されていても良く、例えば、階が異なったり、屋外であっても構わない。
【００１３】
したがって、本発明のトイレ使用表示装置によれば、トイレ室における便器の使用状況をＬＥＤの点灯箇所で表示する文字によって知らせるため、表示器に照明等の光が外部から当たっても、見易い文字表示が可能となり、トイレの使用状況を判り易く知らせることができる。
【００１４】
更に、本発明のトイレ使用表示装置は、上記構成に加え、「前記表示器は、前記人体検知スイッチによって人体を検知していない便器の数を便器の種類に応じて表示する」ものであっても構わない。
【００１５】
ここで、便器の種類は、小便器、大便器、或いは和式便器、洋式便器等の形態別の種類だけではなく、使用者による種類も含まれ、例えば、男性用、女性用、子供用、身体障害者用等が挙げられる。
【００１６】
また、表示器は、種類別の便器に対し、人体検知スイッチによって人体を検知していない便器の数を表示し、夫々の便器の空数が数字で表示される。また、この空き数は検知状況に連動して変化する。なお、空きが無い場合は、「０」や「満」を表示させれば良い。
【００１７】
ところで、従来は、複数の便器が全て使用中になるとランプが点灯するものであったり、使用中の便器の数に応じた数のランプが点灯するものであったりしているので、一見しただけでは、便器の空き数がわからず不便であった。
【００１８】
本発明のトイレ使用表示装置によれば、便器の空き数を便器の種類に応じて数字で表示するため、表示器を見れば、便器の空き数を直感的に認識でき、使い勝手を良くすることができる。
【００１９】
更に、本発明のトイレ使用表示装置は、上記構成に加え、「前記人体検知スイッチは、人体からの荷重或いは熱を検知するものである」ものであっても構わない。
【００２０】
ここで、人体からの荷重を検知するものは、例えば、薄い帯状に形成された電極板が非接触状態で重ねられ、表面に荷重がかかることにより、電極板が接触して回路が接続されるテープスイッチや、重ねたシート状のゴム板の間に複数のスイッチ素子が並べられ、ゴム板表面に荷重がかかることにより、回路が接続されるマットスイッチ等が挙げられる。また、人体からの熱を検知するものは、例えば、人体からの熱線を感知すると回路が接続される熱感自動スイッチ等が挙げられる。
【００２１】
また、人体検知スイッチの設置位置は、例えば、人体から荷重を検知させるものの場合、小便器、和式便器及び洋式便器の立ち位置である便器の正面側の床や、和式便器のしゃがみ位置である便器の側面側の床や、洋式便器の腰掛位置である便座の裏面と便器とで挟まれる箇所に設置することができる。なお、このスイッチは一定の荷重がかからなければ動作しない動作荷重範囲を有し、便座の荷重だけでは動作しない。また、人体から熱を検知させるものの場合、人体を検知可能な距離内で、トイレ室の壁に設置することができる。
【００２２】
ところで、従来の表示装置では、人体を検知するものとして、発光部と受光部との間が人体によって遮られたか否かを検知するセンサや、人体で反射した発光部からの光を受光部で検知するセンサ等を用いており、比較的高価であり、コストが高くなる問題があった。また、トイレの使用中に使用者が長時間静止状態でいると、センサの検知が非検知となり、使用中にもかかわらず、空いている表示を出してしまう問題があった。そのため、従来では、一つの便器に対して、種類の異なるセンサを複数配置して検知するようにしており、複雑な装置となって、更にコストが高くなる問題があった。
【００２３】
本発明のトイレ使用表示装置によれば、人体検知スイッチを、人体からの荷重或いは熱を検知するものとしているので、所定の位置に位置した人体を確実に検知することができ、使用者が長時間静止状態でいても、非検知となるのを回避して、表示器に使用状況を表示することができる。また、人体検知スイッチを人体からの荷重を検知するものとした場合、人体から直接荷重を受けるため、確実に検知することができ、上述した作用効果を確実に奏することができる。
【発明の効果】
【００２４】
本発明の効果として、トイレの使用状況を判り易く知らせることができるトイレ使用表示装置を提供することができる。
【図面の簡単な説明】
【００２５】
【図１】（ａ）は本発明のトイレ使用表示装置の一実施形態を概略で示す説明図であり、（ｂ）は（ａ）のトイレ使用表示装置における表示器を示す正面図である。
【図２】図１におけるトイレ室を拡大して示す斜視図である。
【図３】図１におけるトイレ室を外から見た斜視図である。
【図４】（ａ）は図１とは異なる本発明のトイレ使用表示装置の実施形態を概略で示す説明図であり、（ｂ）は（ａ）のトイレ使用表示装置における表示器を示す正面図である。
【図５】本発明のトイレ使用表示装置における図１及び図４とは異なる形態の表示器を示す正面図である。
【図６】更に異なる形態の表示器を概略で示す説明図である。
【図７】本発明のトイレ使用表示装置における図１及び図４とは異なる形態の人体検知スイッチを用いたトイレ室を示す斜視図である。
【発明を実施するための形態】
【００２６】
以下、本発明の一実施形態であるトイレ使用表示装置１について、図１乃至図３に基づいて説明する。ここで、図１（ａ）は本発明のトイレ使用表示装置の一実施形態を概略で示す説明図であり、図１（ｂ）は（ａ）のトイレ使用表示装置における表示器を示す正面図であり、図２は図１におけるトイレ室を拡大して示す斜視図であり、図３は図１におけるトイレ室を外から見た斜視図である。
【００２７】
本実施形態のトイレ使用表示装置１は、例えば、コンビニエンスストア、喫茶店、居酒屋等のトイレ室２０に設置するものであり、一つの洋式の便器２１を備えたトイレ室２０に設置した例である。このトイレ使用表示装置１は、トイレ室２０における便器２１に対して所定の位置に位置した人体を検知し、便器２１近傍に設置された人体検知スイッチ３２と、人体の検知に応じて、マトリックス状に配置された複数のＬＥＤ７の点灯箇所によって所定の文字を表示し、トイレ室２０外に設置された表示器１０とを具備するものである。
【００２８】
本例のトイレ使用表示装置１の人体検知スイッチ３２は、人体からの荷重がかかると作動（ＯＮ／ＯＦＦ）するものであり、図１及び図２に示すように、便器２１を立って使用する時の立ち位置の床に設置されたマット状のマットスイッチ３１と、マットスイッチ３１と一体的な回路構成とされ便器２１の便座２２に設置されたテープ状のテープスイッチ３０とを備えており、マットスイッチ３１及びテープスイッチ３０が信号線３３を介して表示器１０と接続されている。
【００２９】
マットスイッチ３１は、トイレ室２０の床全面に設置しても良いし、使用者の立ち位置のみに設置しても良い。また、テープスイッチ３０は、便座２２の足に設置しても良いし、便座２２の足とは異なる位置に設置しても良く、便座２２に使用者が座ることで便座２２から便器２１へかかる荷重によって作動するものであれば良い。なお、便座２２の足とは異なる位置に設置する場合、テープスイッチ３０をより厚いテープ状のエッジスイッチとしても良く、これにより、便座２２と便器２１との間に隙間があってもスイッチを作動させることができる。また、マットスイッチ３１及びテープスイッチ３０は、公知のものであり、詳細な説明は省略する。また、テープスイッチ３０は、便座２２の重さでは作動（検知）しないものとされている。
【００３０】
また、トイレ使用表示装置１の表示器１０は、図１及び図３に示すように、トイレ室２０の室外で出入り口上部の壁に設置され表面に貫通した矩形状の貫孔８を有する箱状の本体ケース１１と、本体ケース１１の貫孔８から臨むように本体ケース１１内に配置され複数のＬＥＤ７がマトリックス状に取付けられた二つのＬＥＤパネル３と、ＬＥＤパネル３における複数のＬＥＤ７を点灯させ信号線３３を介して人体検知スイッチ３２と接続される基板２と、本体ケース１１の表面で貫孔８の上部に描かれた「ＴＯＩＬＥＴ↑」の文字からなる案内情報４と、を備えている。
【００３１】
また、基板２には、マトリックス状に配置された複数のＬＥＤ７における点灯個所を指示して「使用中」又は「空室」の文字を表示させるための記憶媒体５（ＲＯＭ）を備えており、人体検知スイッチ３２からの検知信号に応じて、「使用中」又は「空室」の文字を表示させることができるようになっている。なお、本例のＬＥＤパネル３は、９６ｍｍ×９６ｍｍの正方形のＬＥＤ基板に対して、縦横に夫々１６ずつ合計２５６個のＬＥＤ７をマトリックス状に配置したものであり、本体ケース１１の貫孔８を通して縦１６横３２の合計５１２個のマトリックス状に配置されたＬＥＤ７が視認できるようになっている。
【００３２】
本実施形態のトイレ使用表示装置１は、トイレ室２０の便器２１に対して、使用者が立って使用する場合は、便器２１の前側の床上に設置されたマットスイッチ３１によって使用者を検知し、使用者が便器２１の便座２２に座って使用する場合は、床上に設置されたマットスイッチ３１と便座２２に設置されたテープスイッチ３０とによって使用者を検知することができるようになっている。
【００３３】
また、トイレ使用表示装置１は、人体検知スイッチ３２によって人体を検知していない状態、つまり、トイレ室２０（便器２１）を使用していない状態では、基板２によって記憶媒体５に記憶された「空室」の文字が表示器１０に表示されるようになっている。また、人体検知スイッチ３２によって人体を検知している状態、つまり、トイレ室２０を使用している状態では、基板２によって記憶媒体５に記憶された「使用中」の文字が表示器１０に表示されるようになっている。
【００３４】
なお、人体検知スイッチ３２で人体を検知している状態から、人体を検知していない状態となった場合、直ちに「空室」を表示させるようにしても良いし、所定時間（例えば、１〜３０秒）経過後に「空室」を表示させても良い。
【００３５】
このように、本実施形態のトイレ使用表示装置１によると、トイレ室２０における便器２１の使用状況を、複数のＬＥＤ７の点灯箇所によって「使用中」や「空室」等の文字により知らせるようにしているので、文字により知らせることで使用中か否かを即座に判別させることができると共に、表示器１０に照明等の光が当たっても表示内容を判別し易くすることができ、トイレ室２０の使用状況を判り易く知らせることができるトイレ使用表示装置１を提供することができる。
【００３６】
また、本例のトイレ使用表示装置１によると、表示器１０をトイレ室２０外の出入り口上部に設置するようにしているので、離れた場所からも表示器１０を見ることができ、トイレ室２０の使用状況を確実に知らせることができる。また、本例のトイレ使用表示装置１によると、表示器１０によりトイレ室２０の使用状況を知らせるようにしており、トイレ室２０のドアをノックしなくても使用の有無を確認することができるので、無用にノックするのを抑制することができ、使用者間で気まずくなるのを防止することができる。
【００３７】
更に、本例のトイレ使用表示装置１によると、ＬＥＤ７を用いているので、電球と比較して寿命が長く消費電力も少ないので、球切れ等による交換作業等を少なくしてメンテナンス性を高めることができると共に、使用電力を低減させることができる。なお、本例では、人体検知スイッチ３２が人体を検知していない時に、複数のＬＥＤ７の点灯により「空室」の文字を表示させるようにしているが、ＬＥＤ７を点灯させないようにしても良く、トイレ室２０を使用していない状態での消費電力を低減させることができる。
【００３８】
また、本例のトイレ使用表示装置１によると、人体検知スイッチ３２として、人体からの荷重によって作動するマットスイッチ３１やテープスイッチ３０を用いているので、所定の位置に位置した人体を確実に検知することができ、トイレ室２０の使用状況を正確に知らせることができる。また、使用者がトイレ室２０内で長時間静止状態となっていても、従来のセンサを用いたもののように人体の検知が非検知となることはなく、人体を検知し続けることができるので、確実に使用状況を知らせることができる。なお、トイレ室２０の床に設置するマットスイッチ３１を、床の全面に設置するようにしても良く、これにより、トイレ室２０に洗面台や化粧台等を備えていても、便器２１の使用の有無にかかわらずトイレ室２０の使用を検知して、トイレ室２０外へ知らせることができる。
【００３９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４０】
すなわち、本実施形態のトイレ使用表示装置１は、一つの便器２１を有したトイレ室２０に適用するものを示したが、これに限定するものではなく、例えば、図４に示すような、複数の小便器２４や大便器２５を有したトイレ室２０に適用するトイレ使用表装置４０としても良い。ここで、図４（ａ）は図１とは異なる本発明のトイレ使用表示装置の実施形態を概略で示す説明図であり、図４（ｂ）は（ａ）のトイレ使用表示装置における表示器を示す正面図である。なお、上記した実施形態と同一の構成については、同一の符号を付すと共に、詳細な説明は省略する。
【００４１】
このトイレ使用表示装置４０は、図示するように、トイレ室２０における複数の小便器２４や大便器２５に対して所定の位置に位置した人体を夫々検知し各小便器２４や大便器２５の近傍に設置された人体検知スイッチ３２と、人体検知スイッチ３２からの検知に応じて複数の小便器２４や大便器２５の使用していない便器２４，２５の数を表示しトイレ室２０外に設置された表示器４１と、を備えている。
【００４２】
このトイレ使用表示装置４０は、人体検知スイッチ３２として、大便器２５に対しては上記と同様に、大便器２５前側の床に設置されたマットスイッチ３１と便座２２に設置されたテープスイッチ３０により人体を検知する。一方、小便器２４に対しては、小便器２４前側の床に設置されたマットスイッチ３１により人体を検知するようにしている。
【００４３】
このトイレ使用表示装置４０の表示器４１は、図４（ｂ）に示すように、表面に貫通し左右に並んだ二つの矩形状の貫孔８を有する箱状の本体ケース４２と、本体ケース４２における二つの貫孔８の上側に描かれた「只今のＷＣ空き状況」、左右に並んだ貫孔８の夫々左側に描かれた「Ｓｍａｌｌ」、「Ｂｉｇ」の文字からなる案内情報４と、を備えている。この表示器４１は、本体ケース４２の二つの貫孔８から夫々臨むように本体ケース４２内にＬＥＤパネル３が配置されている。
【００４４】
また、表示器４１には、本体ケース４２内にＬＥＤパネル３の各ＬＥＤ７を表示させる基板２とは別に、信号線３３を介して各小便器２４や大便器２５、及び基板２と接続されトイレ室２０内の小便器２４や大便器２５の空数を表示させるための制御基板９を更に備えている。本例では、左側の貫孔８から臨むＬＥＤパネル３には小便器２４の空数が、右側の貫孔８から臨むＬＥＤパネル３には大便器２５の空数が夫々表示されるようになっている。なお、制御基板９では、小便器２４や大便器２５の空数を演算により算出して表示させるようにしても良いし、リレー回路等によって表示させるようにしても良い。更に、表示器４１は、上記の例と同様に、記憶媒体５を有した基板２を備えており、記憶媒体５には各ＬＥＤ７の点灯個所によって表示される文字としての数字が記憶されている。
【００４５】
このトイレ使用表示装置４０によると、複数の小便器２４や大便器２５を有したトイレ室２０に対して、小便器２４や大便器２５の空数を表示器４１に数字で表示させるようにしているので、表示器４１を見ることで便器２４，２５の空数を瞬時に認識することができ、使い勝手の良いトイレ使用表示装置４０とすることができる。
【００４６】
また、上記の実施形態では、一つのトイレ室２０の使用状況を表示するものを示したが、これに限定するものではなく、例えば、図５に示すように、表示器１０において男女別に分けて表示させるようにしても良い。なお、図５は、本発明のトイレ使用表示装置における図１及び図４とは異なる形態の表示器を示す正面図である。また、トイレ室２０の男女別の他に、例えば、和式便器、洋式便器、或いは、身体障害者用等に応じて表示する表示器１０としても良く、これにより、より判り易く使用状況を知らせることができる。
【００４７】
また、本実施形態のトイレ使用表示装置１，４０は、「使用中」、「空室」や数字等の文字を表示するものを示したが、これに限定するものではなく、例えば、トイレ使用表示装置１，４０に、清掃者等の特定の者が操作可能なスイッチを設け、そのスイッチを操作することで表示器１０，４１に、「清掃中」等の文字を表示させる（図５を参照）ようにしても良い。これにより、トイレ室２０の状況をトイレ室２０外部へ判り易く知らせることができる。
【００４８】
また、本実施形態のトイレ使用表示装置１，４０は、基板２の記憶媒体５に予め記憶された文字を表示させるものを示したが、これに限定するものではなく、例えば、記憶媒体５を書換可能とした上で、基板２に対して外部からパソコン等の制御装置を接続して、記憶媒体５に記憶された文字を変更したり、記憶された文字数を増やしたりすることができるようにしても良い。これにより、より様々な文字を表示させることが可能となり、トイレ使用表示装置１，４０の設置個所に応じた文字を表示させて、汎用性の高いトイレ使用表示装置１，４０とすることができる。
【００４９】
更に、本実施形態のトイレ使用表示装置１，４０は、一つの表示器１０，４１を備えたものを示したが、これに限定するものではなく、複数の表示器１０，４１を備えたものとしても良い。例えば、トイレ室２０の出入り口とトイレ室２０へ向かう通路上に夫々表示器１０，４１を設置したり、トイレ室２０の外壁の各壁面に夫々表示器１０，４１を配置したり、トイレ室２０の出入り口だけでなくトイレ室２０とは異なる部屋（フロア）や階に夫々表示器１０，４１を設置したりしても良く、上記と同様の作用効果を奏することができると共に、広い範囲にトイレ室２０の使用状況を知らせることができる。
【００５０】
また、本実施形態のトイレ使用表示装置１，４０は、表示器１０，４１を壁に取付けるものを示したが、これに限定するものではなく、例えば、天井から吊るしたり、床に立設された支柱に取付けたりしても良い。また、図６に示すように、表示器５０の両面からＬＥＤパネル３が臨むようにしても良く、表示器５０の前後へ使用状況を知らせることができる。なお、図６は、更に異なる形態の表示器を概略で示す説明図である。
【００５１】
更に、本実施形態のトイレ使用表示装置１，４０は、人体検知スイッチ３２としてマットスイッチ３１やテープスイッチ３０等の人体からの荷重を検知するものを示したが、これに限定するものではなく、例えば、図７に示すような、トイレ室２０の壁に設置し人体からの熱を検知する熱感自動スイッチ３４を用いても良く、上記と同様の作用効果を奏する他に、トイレ室２０の床や便座２２にスイッチを取付ける必要がなく、設置に係る手間やメンテナンスを容易にすることができると共に、トイレ室２０の清掃作業を行い易くすることができる。なお、図７は本発明のトイレ使用表示装置における図１及び図４とは異なる形態の人体検知スイッチを用いたトイレ室を示す斜視図である。
【符号の説明】
【００５２】
１  トイレ使用表示装置
２  基板
３  ＬＥＤパネル
７  ＬＥＤ
９  制御基板
１０  表示器
１１  本体ケース
２０  トイレ室
２１  便器
３０  テープスイッチ
３１  マットスイッチ
３２  人体検知スイッチ
３４  熱感自動スイッチ
４０  トイレ使用表示装置
４１  表示器
５０  表示器
【先行技術文献】
【特許文献】
【００５３】
【特許文献１】特開２００５−３０５１２３号公報
【特許文献２】特開平８−１８５１３５号公報
【図１】
2011125593.tif 000003
【図２】
2011125593.tif 000004
【図３】
2011125593.tif 000005
【図４】
2011125593.tif 000006
【図５】
2011125593.tif 000007
【図６】
2011125593.tif 000008
【図７】
2011125593.tif 000009